(57)【要約】      （修正有）【課題】ガラスバルブの破裂やバルブ内の霧を防止する気圧均衡フィラメントランプを提供する。【解決手段】気圧均衡フィラメントランプは、ガラスバルブ１と、光源アッセンブリ２と、ステム３と、ダックビル逆止弁４とを有し、光源アッセンブリ２は、ステム３に巻回されて設置されるとともに、ガラスバルブ１内に配置され、ステム３に排気ロッドが設置され、ダックビル逆止弁４は、一端が排気ロッドに被嵌され、他端にスリットが設けられ、スリットの両側の平面が互いに密接するように構成されるので、ガラスバルブ１の内部気圧がガラスバルブ１の外部気圧より大きいとき、ガラスバルブ１の内部の気体の熱膨張で内部の圧力が上昇すれば、ダックビル逆止弁４が開いて気体を排出し、外部の圧力が内部の圧力より大きいとき、ダックビル逆止弁４が閉弁して密閉状態になる。【選択図】図１
0003232708.tif 000002
【実用新案登録請求の範囲】
【請求項１】
ガラスバルブと、光源アッセンブリと、ステムと、ダックビル逆止弁とを有し、
前記光源アッセンブリは、前記ステムに巻回されて設置されるとともに、前記ガラスバルブ内に配置され、前記ステムに排気ロッドが設置され、
前記ダックビル逆止弁は、一端が排気ロッドに被嵌され、他端にスリットが設けられ、スリットの両側の平面が互いに密接する
ことを特徴とする気圧均衡フィラメントランプ。
【請求項２】
前記ガラスバルブの内部気圧が外部気圧より大きいとき、互いに密接していた前記スリットの両側の平面が開く
ことを特徴とする請求項１に記載の気圧均衡フィラメントランプ。
【請求項３】
前記ダックビル逆止弁は、柱面と、前記スリットが位置する端面とを有し、前記スリットの両側の前記端面から、それぞれ前記柱面に向かって切って２つの切取面が形成される
ことを特徴とする請求項１に記載の気圧均衡フィラメントランプ。
【請求項４】
前記切取面と前記ダックビル逆止弁の中心軸とがなす夾角は６０°より小さい
ことを特徴とする請求項３に記載の気圧均衡フィラメントランプ。
【請求項５】
ダックビル逆止弁の材料は軟質材料である
ことを特徴とする請求項１に記載の気圧均衡フィラメントランプ。
【請求項６】
前記ステムにフランジが設けられ、
前記ガラスバルブが、前記光源アッセンブリを包むように前記フランジに溶融接続される
ことを特徴とする請求項１に記載の気圧均衡フィラメントランプ。
【請求項７】
前記光源アッセンブリはＬＥＤフィラメントである
ことを特徴とする請求項１に記載の気圧均衡フィラメントランプ。
【請求項８】
駆動アッセンブリをさらに有し、前記駆動アッセンブリは、前記ダックビル逆止弁に被嵌されて前記ステムに配置されるとともに、リード線を介して前記光源アッセンブリと接続する
ことを特徴とする請求項１に記載の気圧均衡フィラメントランプ。
【請求項９】
前記駆動アッセンブリを内部に包む絶縁内層をさらに有する
ことを特徴とする請求項８に記載の気圧均衡フィラメントランプ。
【請求項１０】
口金をさらに有し、
前記口金は、絶縁内層に被嵌されてガラスバルブと固定接続し、前記口金に固定ピンが設置される
ことを特徴とする請求項９に記載の気圧均衡フィラメントランプ。
【考案の詳細な説明】
【技術分野】
【０００１】
本考案は、照明の分野に属し、具体的には、気圧均衡フィラメントランプに関する。
【背景技術】
【０００２】
常用の白熱灯のフィラメントは、炭素、タングステンなどの元素の化合物を利用して作製したものである。白熱灯の使用時に、灯内部の温度上昇で、タングステンフィラメントが気体に昇華され、消灯したあと、タングステンフィラメントの温度低下にしたがって、この気体が固体に昇華されて、電球の内壁に付着される。タングステンが黒いものであるため、外から見ると、白熱灯が黒くなって見える。この反応の繰り返しで、電球の内壁に付着されたタングステンがますます多くなり、長く使うほど白熱灯が黒くなる。これに対して、ＬＥＤフィラメントを発光の光源として用いれば、上記の問題をよく解決することができるとともに、より省エネルで環境に優しい。
【０００３】
従来のフィラメントランプ（ＬＥＤフィラメントランプともいう）は、基本的に、光源をステムに固定して光源アッセンブリを形成し、光源アッセンブリとガラスバルブとを封止により密封のバルブアッセンブリとなしたものである。密封バルブは、高温雰囲気で、内部の気体が熱膨張するので、バルブ内の圧力が増加し、ガラスバルブの破裂が生じやすい。そして、バルブの密封不良の場合、長時間で点灯すると、バルブ内に霧が生じやすい。
【考案の概要】
【考案が解決しようとする課題】
【０００４】
上記の背景技術に提起された問題を解決するため、本考案は、ダックビル逆止弁を設計してガス注入不要のＬＥＤフィラメントランプに適用することにより、ガラスバルブの破裂しやすい問題やバルブ内の霧の問題を解決できる気圧均衡フィラメントランプを提供する。
【課題を解決するための手段】
【０００５】
上記目的を実現するため、本考案は、下記の技術案を用いる。
【０００６】
本考案による気圧均衡フィラメントランプは、ガラスバルブと、光源アッセンブリと、ステムと、ダックビル逆止弁とを有し、光源アッセンブリは、ステムに巻回されて設置されるとともに、ガラスバルブ内に配置され、ステムに排気ロッドが設置され、ダックビル逆止弁は、一端が排気ロッドに被嵌され、他端にスリットが設けられ、スリットの両側の平面が互いに密接する。ガラスバルブの内部気圧がガラスバルブの外部気圧より小さい場合、バルブ嘴が閉じ、平面が互いに密接し、気体の流出がなく、所定の気圧に達すまでスリットの両側の平面が開かない。ダックビル逆止弁とステムにおける排気ロッドとを迅速に接続することができ、ステムの絞り封止工程が不要になるので、絞りによる尖った部分の高いことによる組立過程における組立不能や封止箇所の断裂の問題を避けることができる。
【０００７】
好ましくは、ガラスバルブの内部気圧が外部気圧より大きいとき、互いに密接していたスリットの両側の平面が開く。ダックビル逆止弁の特徴を活かして、ガラスバルブにおける熱膨張による気圧で、互いに密接していた平面が迅速に開き、ガラスバルブの内部の気体がスリットから迅速に排出され、ガラスバルブの高温下での破裂を防止することができる。
【０００８】
好ましくは、ダックビル逆止弁は、柱面と、スリットが位置する端面とを有し、スリットの両側の端面から、それぞれ柱面に向かって切って２つの切取面が形成される。このようにして、スリットの両側の圧力を軽減することできる。ガラスバルブの内部気圧が外部気圧より大きいとき、スリットの両側の平面はより容易にスリットの両側へ開き、気体がダックビル逆止弁のスリットから放出される。
【０００９】
好ましくは、切取面とダックビル逆止弁の中心軸とがなす夾角は６０°より小さい。このようにして、切取面が十分に大きくなるので、ガラスバルブの内部気圧が外部気圧より大きいときにスリットの両側の平面が十分な角度で開くことを確保できる。
【００１０】
好ましくは、ダックビル逆止弁の材料は軟質材料である。例えば、ゴム材料を用いる。内部に圧力がないとき、ダックビルの出口が自身の弾力で閉じ、内部の圧力の漸増にしたがってダックビルの出口も次第に広がり、気体の迅速な排出を確保できる。
【００１１】
好ましくは、ステムにフランジが設けられ、ガラスバルブが、光源アッセンブリを包むようにフランジに溶融接続される。封止排気のプロセスにより、ステムとガラスバルブとが確実に溶融接続される。
【００１２】
好ましくは、光源アッセンブリはＬＥＤフィラメントである。白熱灯に対して、ＬＥＤフィラメントは、エネルギ消耗が低く、より省エネで環境に優しく、灯内に酸化防止のための不活性気体を充填する必要がない。ＬＥＤフィラメントを光源アッセンブリとする場合、ダックビル逆止弁を介して排気することができる。
【００１３】
好ましくは、駆動アッセンブリをさらに有する。駆動アッセンブリは、ダックビル逆止弁に被嵌されてステムに配置されるとともに、リード線を介して光源アッセンブリと接続する。
【００１４】
好ましくは、駆動アッセンブリの上方に駆動アッセンブリを内部に包む絶縁内層が設けられる。絶縁内層は、電磁干渉を防止することができる。
【００１５】
好ましくは、口金をさらに有し、口金は、絶縁内層を被嵌されてガラスバルブと固定接続し、口金に固定ピンが設置される。
【００１６】
本考案の技術案は、下記の有益効果を有する。本考案による気圧均衡フィラメントランプは、ガラスバルブと、光源アッセンブリと、ステムと、ダックビル逆止弁とを有し、光源アッセンブリは、ステムに巻回されて設置されるとともに、ガラスバルブ内に配置され、ステムに排気ロッドが設置され、ダックビル逆止弁は、一端が排気ロッドに被嵌され、他端にスリットが設けられ、スリットの両側の平面が互いに密接するように構成されるので、ガラスバルブの内部気圧がガラスバルブの外部気圧より大きいとき、ガラスバルブの内部の気体の熱膨張で内部の圧力が上昇すれば、ダックビル逆止弁が開いて気体を排出し、外部の圧力が内部の圧力より大きいとき、ダックビルゴム逆止弁が閉弁して密閉状態になる。したがって、ガラスバルブの破裂しやすい問題やバルブ内の霧の問題を解決することができる。
【図面の簡単な説明】
【００１７】
【図１】本考案の一実施例による気圧均衡フィラメントランプの構成分解図である。
【図２】本考案の一実施例によるダックビル逆止弁の斜視図である。
【図３】本考案の一実施例による気圧均衡フィラメントランプにおけるダックビル逆止弁の側面図である。
【図４】本考案の一実施例による気圧均衡フィラメントランプにおけるステムの部分模式図である。
【図５】本考案の一実施例によるダックビル逆止弁とステムの組立図である。
【考案を実施するための形態】
【００１８】
本考案の実施例の目的、技術案及び利点をより明瞭にするため、以下、本考案の実施例に用いられる図面を参照しながら、本考案の実施例における技術案を明瞭且つ完全に説明する。
【００１９】
下記の説明において、本考案をよく理解するため詳細に説明したが、本考案は、ここでの説明と異なる他の方式で実施することが可能である。本考案の主旨を逸脱しない限り当業者にとって類似の改良を行うこともできるので、本考案は、下記に開示された具体的な実施例に限定されない。
【００２０】
図１、図２、図３、図４及び図５は、それぞれ本考案の実施例による気圧均衡フィラメントランプの構成分解図、実施例によるダックビル逆止弁の斜視図、実施例によるダックビル逆止弁の側面図、実施例によるフィラメントランプにおけるステムの部分模式図及び実施例によるダックビル逆止弁とステムの組立図である。
【００２１】
図１、図２、図３、図４及び図５に示すように、気圧均衡フィラメントランプは、ガラスバルブ１と、光源アッセンブリ２と、ステム３と、ダックビル逆止弁４とを有する。光源アッセンブリ２は、ステム３に巻回されて設置されるとともに、ガラスバルブ１内に配置される。ステム３に排気ロッド３２が設置される。ダックビル逆止弁４は、一端が排気ロッド３２に被嵌され、他端にスリット４３が設けられ、スリット４３の両側の平面が互いに密接する。ガラスバルブ１の内部気圧がガラスバルブ１の外部気圧より小さい場合、バルブ嘴が閉じ、平面が互いに密接し、気体の流出がない。所定の気圧に達すまでスリット４３の両側の平面が開かない。ダックビル逆止弁４とステム３における排気ロッド３２とを迅速に組み立てることができ、ステム３の絞り封止工程が不要になるので、絞りによる尖った部分の高いことによる組立過程における組立不能や封止箇所の断裂の問題を避けることができる。
【００２２】
好ましくは、ステム３及び排気ロッド３２はガラス材料で作製される。ステム３は、ブラケットと台座を含み、ブラケットが、台座と一体成形した装置であってもよく、金属製のブラケットを台座と接続して台座に位置させるように構成してもよい。ステム３の台座にガス入口が設けられ、ガス入口によりガラスバルブ１内の気体をステム３に進入させて排気ロッド３２を介してダックビル逆止弁４からを排出する。
【００２３】
具体的な実施例において、ガラスバルブ１の内部気圧が外部気圧より大きいとき、互いに密接していたスリット４３の両側の平面が開く。ダックビル逆止弁４の特徴を活かして、ガラスバルブ１における熱膨張による気圧で、互いに密接していた平面が迅速に開き、ガラスバルブ１の内部の気体がスリット４３から迅速に排出され、ガラスバルブ１の高温下での破裂を防止することができる。
【００２４】
具体的な実施例において、ダックビル逆止弁４は、柱面４１と、スリット４３が位置する端面とを有し、スリット４３の両側の端面から、それぞれ柱面４１に向かって切って２つの切取面４２が形成される。このようにして、スリット４３の両側の圧力を軽減することできる。ガラスバルブ１の内部気圧が外部気圧より大きいとき、スリット４３の両側の平面がより容易にスリット４３の両側へ開き、気体がダックビル逆止弁４のスリット４３から放出される。
【００２５】
具体的な実施例において、切取面４２とダックビル逆止弁４の中心軸とがなす夾角Ａは６０°より小さい。このようにして、切取面４２が十分に大きくなるので、ガラスバルブ１の内部気圧が外部気圧より大きいとき、スリット４３の両側の平面が、ガスの迅速な排出を確保できる十分の角度で開くことを保証できる。切取面４２とダックビル逆止弁４の中心軸とがなす夾角Ａが大きすぎると、切取面の面積が小さすぎて、バルブ嘴の開く角度が影響され、気体の排出に不利になる。
【００２６】
具体的な実施例において、ダックビル逆止弁４の材料は軟質材料である。例えば、ゴム材料を用いる。内部に圧力がないとき、ダックビルの出口が自身の弾力で閉じ、内部の圧力の漸増にしたがってダックビルの出口も次第に広がり、気体の迅速な排出を確保できる。軟質材料は、弾力性を持つため、圧力のないとき迅速に閉じることでき、剛性材料であれば、自発的に閉じることができなくなってしまう。
【００２７】
具体的な実施例において、ステム３にフランジ３１が設けられ、ガラスバルブ１が、光源アッセンブリ２を包むようにフランジ３１に溶融接続される。封止排気のプロセスにより、ステム３とガラスバルブ１とが確実に溶融接続される。
【００２８】
具体的な実施例において、光源アッセンブリ２はＬＥＤフィラメントである。白熱灯に対して、ＬＥＤフィラメントは、エネルギ消耗が低く、より省エネで環境に優しく、灯内に酸化防止のための不活性気体を充填する必要がない。ＬＥＤフィラメントを光源アッセンブリ２とする場合、ガラスバルブ内にガスを充填する必要がないので、ダックビル逆止弁４を介して排気することができる。ステム３のブラケットに複数の「Ｊ」状ワイヤーフックが設置され、ＬＥＤフィラメントが螺旋状に保たれ、周囲を十分均一に照明することができる。
【００２９】
具体的な実施例において、駆動アッセンブリ５をさらに有する。駆動アッセンブリ５は、ダックビル逆止弁４に被嵌されてステム３に配置されるとともに、リード線を介して光源アッセンブリ２と接続する。白熱灯に対して、ＬＥＤフィラメントは、エネルギ消耗が低く、より省エネで環境に優しく、灯内に酸化防止のための不活性気体を充填する必要がない。ＬＥＤフィラメントを光源アッセンブリ２とする場合、ダックビル逆止弁４を介して排気することができる。
【００３０】
好ましくは、光源アッセンブリ２と駆動アッセンブリ５との接続方式として、ステム３のブラケットと台座とがガラスを一体成型した構成である場合、ＬＥＤフィラメントの正負極リード線３３は、ステム３の台座を通って駆動アッセンブリ５に接続される。ステム３のブラケットは金属製のものを用いるとともに台座に接続される場合、ＬＥＤフィラメントが螺旋状になしたため、ＬＥＤフィラメントの1本のリード線の一端をブラケットの上方に接続し、ブラケットの、台座に近接する下方から該リード線をステム３に通して引き出し、ＬＥＤフィラメントの、台座に近接するリード線をステム３に通して引き出し、そして２本のリード線をそれぞれ駆動アッセンブリ５に接続する。
【００３１】
具体的な実施例において、口金７をさらに有し、口金７の内側に、駆動アッセンブリ５を内部に包む絶縁内層６が設けられる。絶縁内層６は、電磁干渉を防止して電磁シールドの役割を果たすことができる。口金７に固定ピン８が設置される。そして、口金７とガラスバルブ１とを、はんだ粉末を利用して固定して組立を完成させる。
【００３２】
当業者は、本考案の主旨及び範囲から逸脱しない限り、本考案の実施例に対して各種の修正及び変更を行うことができる。これらの修正及び変更が本考案の登録請求の範囲及びその均等形態の範囲内に属する場合、本考案にこれらの修正及び変更も含まれる。用語「有する」は、登録請求の範囲に明記されていない他の要素又はステップを除外しない。ある措置が異なる従属請求項に記載されているという単純な事実は、これらの措置の組み合わせが実現できないと意味しない。登録請求の範囲におけるいかなる符号は、範囲を限定するものではないと理解すべきである。
【符号の説明】
【００３３】
１…ガラスバルブ
２…光源アッセンブリ
３…ステム
４…ダックビル逆止弁
５…駆動アッセンブリ
６…絶縁内層
７…口金
８…固定ピン
４１…柱面
４２…切取面
Ａ…切取面とダックビル逆止弁の中心軸とがなす夾角
４３…スリット
３１…フランジ
３２…排気ロッド
３３…正負極リード線
【図１】
0003232708.tif 000003
【図２】
0003232708.tif 000004
【図３】
0003232708.tif 000005
【図４】
0003232708.tif 000006
【図５】
0003232708.tif 000007